(57)【特許請求の範囲】
【請求項１】
情報を記憶する記憶部と、
タグに記憶された情報を読み取り、前記タグに情報を書き込むタグリーダライタと、
前記タグリーダライタを介して記憶媒体が備える前記タグから識別情報を読み取り、
自装置に接続された前記記憶媒体に記憶された情報の少なくとも一部を読み取り、
前記記憶媒体から読み取った情報に基づき、前記記憶媒体に記憶された前記情報の概要であるメタデータを生成し、
ネットワークを介してアクセス可能なデータ記憶領域に、前記識別情報および前記メタデータを記憶させ、
前記識別情報と、前記データ記憶領域にアクセスするためのアクセス情報とを前記記憶部に記憶し、
前記記憶媒体が備える情報を表示する表示部に、前記メタデータと、前記アクセス情報を示す情報とを表示させる制御部とを備える、
情報処理装置。
【請求項２】
前記制御部は、
前記タグリーダライタを介して、前記アクセス情報を前記タグに書き込んで記憶させる、
請求項１記載の情報処理装置。
【請求項３】
前記メタデータは、
前記記憶媒体に記憶された、ファイル名、ファイル数、ファイル更新日時、ディレクトリ名、ディレクトリ数、ディレクトリ構造、前記記憶媒体の記憶容量、前記記憶媒体の記憶残容量、のうち少なくともいずれかを含む情報である、
請求項１乃至請求項２記載の情報処理装置。
【請求項４】
前記情報処理装置は、
前記記憶媒体と接続するための接続部を備え、
前記接続部に対する接続を開閉するスイッチを備え、
前記制御部は、
前記タグから前記識別情報を読み取った場合、前記記憶媒体の接続を許可するか否かを判定し、
前記判定した結果に基づき、前記スイッチの開閉を制御する、
請求項１乃至請求項３記載の情報処理装置。
【請求項５】
前記制御部は、
複数の前記識別情報を読み取った場合、複数の前記識別情報に対応する前記アクセス情報を前記記憶部から読み出し、
前記アクセス情報それぞれに基づいて、複数の前記識別情報に対応する前記メタデータを取得し、
前記メタデータに含まれる情報が予め定められた条件を満たす前記記憶媒体を特定し、前記予め定められた条件を満たす前記メタデータの情報が含まれている旨を、特定した前記記憶媒体の前記表示部に表示させる、
請求項１乃至請求項４に記載の情報処理装置。
【請求項６】
前記予め定められた条件は、前記記憶媒体の記憶残容量が最大であることであって、
前記制御部は、
前記メタデータそれぞれに含まれる前記記憶媒体の前記記憶残容量を比較し、前記記憶残容量が最大である前記識別情報を特定し、特定した前記識別情報を記憶した前記タグを備える前記記憶媒体の前記表示部に、前記記憶残容量が最大である旨を表示させる、
請求項５記載の情報処理装置。
【請求項７】
記憶媒体が備えるタグから識別情報を読み取り、
情報処理装置に接続された前記記憶媒体に記憶された情報の少なくとも一部を読み取り、
前記記憶媒体から読み取った情報に基づき前記記憶媒体に記憶された前記情報の概要であるメタデータを生成し、
ネットワークを介してアクセス可能なデータ記憶領域に、前記識別情報および前記メタデータを記憶させ、
前記識別情報と、前記データ記憶領域にアクセスするためのアクセス情報とを記憶部に記憶し、
前記記憶媒体が備える情報を表示する表示部に、前記メタデータと、前記アクセス情報を示す情報とを表示させる、
処理を情報処理装置に実行させるプログラム。
【請求項８】
識別情報を記憶するタグと、
給電が不要であり、新たな表示指示が行われるまで表示内容を保持し、情報処理装置によって自装置から読み取られた情報の概要であるメタデータと、ネットワークを介してアクセス可能なデータ記憶領域に記憶された前記メタデータにアクセスするためのアクセス情報を示す情報とを表示させる表示指示を前記情報処理装置から受け付けて表示する表示部と、
を備える記憶媒体。
【請求項９】
前記記憶媒体は、
前記アクセス情報を前記タグに書き込む指示を前記情報処理装置から受け付け、
前記アクセス情報を前記タグに記憶する、
請求項８記載の記憶媒体。
【発明の詳細な説明】
【技術分野】
【０００１】
本発明は、情報処理装置、プログラムおよび記憶媒体に関する。
【背景技術】
【０００２】
近年、画像データや文書データ等の各種情報を小型の記憶媒体に保存し、記憶媒体を携帯して移動したり、複数の記憶媒体にデータを分散して記憶させたりする場合がある。たとえば、小型の記憶媒体として、コンピュータに外付け可能なディスクや、各種メモリ等がある。
【０００３】
たとえば、外部記憶メディアであるメモリカードに、記憶されている内容を確認するための表示装置を設ける技術が知られている。メモリカードに液晶ディスプレイの表示装置を設けることで、カードを差し込みデータの内容の確認を行うことなく、メモリカード単体で、その内部のデータ内容を知ることができる技術である。
【先行技術文献】
【特許文献】
【０００４】
【特許文献１】特開平４−３６７０９０号公報
【発明の概要】
【発明が解決しようとする課題】
【０００５】
従来の技術においては、液晶ディスプレイに対し、太陽電池や電源スイッチからの電力供給がある場合に表示を続け、電力供給が無くなると自動的に電源が切れ、表示を停止するものであった。また、従来の技術においては、一定の文字以上のときや、タイトル量が多い場合、文字を順次表示するようにして対応するものであった。このように、従来の技術においては、電力供給が無くなるとともに表示が停止されるため、電力供給が無い場合には記憶されている内容の確認ができず、利便性が悪いものであった。
【０００６】
また、近年、小型の記憶媒体の記憶容量が増加する傾向にある。記憶媒体の記憶容量の増加とともに、記憶する情報の数量（ファイル数、ディレクトリ数等）も増加するため、小型の記憶媒体が備える小型の表示装置において、記憶された内容を順次表示すると、長時間に渡り文字のスクロールが継続し、仮に、全ての内容を表示した場合であっても、利用者にとって視認しづらく利便性が悪いものであった。このような状況に対応するため、記憶媒体を利用する際の利便性の向上を図る技術が望まれている。
【０００７】
一側面では、本発明は、記憶媒体を利用する際の利便性の向上を図る情報処理装置、プログラムおよび記憶媒体を提供することを目的とする。
【課題を解決するための手段】
【０００８】
上記目的を達成するために、以下に示すような情報処理装置を提供する。情報処理装置は、記憶部と、タグリーダライタと、制御部とを備える。記憶部は、情報を記憶する。タグリーダライタは、タグに記憶された情報を読み取り、タグに情報を書き込む。制御部は、タグリーダライタを介して記憶媒体が備えるタグから識別情報を読み取り、情報処理装置に接続された記憶媒体に記憶された情報の少なくとも一部を読み取り、記憶媒体から読み取った情報に基づき記憶媒体に記憶された情報の概要であるメタデータを生成し、ネットワークを介してアクセス可能なデータ記憶領域に、識別情報およびメタデータを記憶させ、識別情報と、データ記憶領域にアクセスするためのアクセス情報とを記憶部に記憶し、記憶媒体が備える情報を表示する表示部に、メタデータと、アクセス情報を示す情報とを表示させる。
【０００９】
また、上記目的を達成するために、以下に示すようなプログラムを提供する。プログラムは、記憶媒体が備えるタグから識別情報を読み取り、情報処理装置に接続された記憶媒体に記憶された情報の少なくとも一部を読み取り、記憶媒体から読み取った情報に基づき記憶媒体に記憶された情報の概要であるメタデータを生成し、ネットワークを介してアクセス可能なデータ記憶領域に、識別情報およびメタデータを記憶させ、識別情報と、データ記憶領域にアクセスするためのアクセス情報とを記憶部に記憶し、記憶媒体が備える情報を表示する表示部に、メタデータと、アクセス情報を示す情報とを表示させる、処理を情報処理装置に実行させる。
【００１０】
また、上記目的を達成するために、以下に示すような記憶媒体を提供する。記憶媒体は、タグと、表示部とを備える。タグは、識別情報を記憶する。表示部は、給電が不要であり、新たな表示指示が行われるまで表示内容を保持し、記憶媒体から読み取った情報の概要であるメタデータと、ネットワークを介してアクセス可能なデータ記憶領域に記憶されたメタデータにアクセスするためのアクセス情報を示す情報とを表示させる表示指示を情報処理装置から受け付けて表示する。
【発明の効果】
【００１１】
一態様によれば、記憶媒体を利用する際の利便性の向上を図ることができる。
【図面の簡単な説明】
【００１２】
【図１】第１の実施形態の情報処理システムの一例を示す図である。
【図２】第２の実施形態の情報処理システムの一例を示す図である。
【図３】第２の実施形態の情報処理装置のハードウェア構成の一例を示す図である。
【図４】第２の実施形態の情報処理システムの機能の一例を示す図である。
【図５】第２の実施形態の媒体アクセス管理情報の一例を示す図である。
【図６】第２の実施形態の初期登録処理のフローチャートの一例を示す図である。
【図７】第２の実施形態のメタデータ表示処理のフローチャートの一例を示す図である。
【図８】第２の実施形態の携帯端末読取処理のフローチャートの一例を示す図である。
【図９】第３の実施形態の情報処理装置のハードウェア構成の一例を示す図である。
【図１０】第３の実施形態の媒体認証管理情報の一例を示す図である。
【図１１】第３の実施形態の接続判定処理のフローチャートの一例を示す図である。
【図１２】第３の実施形態の接続判定初期登録処理のフローチャートの一例を示す図である。
【図１３】第４の実施形態の最大残容量表示イメージの一例を示す図である。
【図１４】第４の実施形態の最大残容量表示処理のフローチャートの一例を示す図である。
【発明を実施するための形態】
【００１３】
以下、図面を参照して実施の形態を詳細に説明する。なお各実施形態は、矛盾の無い範囲で複数の実施形態を組み合わせて実施することができる。
【００１４】
［第１の実施形態］
まず、第１の実施形態の情報処理システムについて図１を用いて説明する。図１は、第１の実施形態の情報処理システムの一例を示す図である。
【００１５】
情報処理システム６０は、記憶媒体２０に記憶された情報の概要を提示することにより、記憶媒体２０の利便性の向上を図るシステムである。情報処理システム６０は、情報処理装置１０と、記憶媒体２０と、サーバ３０と、携帯端末４０とを含む。情報処理システム６０に含まれる各要素は、ネットワーク５０を介して情報通信が可能である。ネットワーク５０は、有線ネットワーク、無線ネットワークのいずれでもよい。なお、情報処理システム６０に含まれる情報処理装置１０と、記憶媒体２０と、サーバ３０と、携帯端末４０の台数は、図示した台数に限られるものではない。
【００１６】
情報処理装置１０は、記憶媒体２０に記憶された情報の概要を提示するプログラムが実行されるコンピュータである。また、情報処理装置１０は、情報処理システム６０に含まれる各要素と情報通信を行う機能を備えている。
【００１７】
情報処理装置１０は、記憶部１１と、タグリーダライタ１２と、制御部１３とを備える。記憶部１１は、情報を記憶するものであり、たとえば、メモリやディスク等の記憶装置である。タグリーダライタ１２は、タグ２２から情報を読み取り、タグ２２に情報を書き込む機能を備える。制御部１３は、情報処理装置１０全体を制御するものであり、たとえば、プロセッサ等である。
【００１８】
記憶媒体２０は、情報処理装置１０に外部接続可能な情報を記憶する装置であり、たとえば、外付けディスクや各種メモリである。記憶媒体２０は、表示部２１とタグ２２とを備える。
【００１９】
表示部２１は、給電が不要であり、新たな表示指示が行われるまで表示内容を保持する表示装置であり、たとえば、電子ペーパーや小型表示パネル等である。表示部２１は、情報処理装置１０から情報を表示する表示指示を受け付け、情報を表示する。
【００２０】
タグ２２は、タグを一意に識別する識別情報２３を記憶した非接触タグであり、たとえば、ＲＦＩＤ（Radio Frequency Identifier）タグ、ＩＣ（Integrated Circuit）タグ等である。
【００２１】
サーバ３０は、情報処理装置１０からの要求を受け付け、ネットワーク５０を介してアクセス可能なデータを記憶することが可能な領域であるデータ記憶領域３１を確保する機能を備えたコンピュータである。また、サーバ３０は、情報処理装置１０から受信した情報をデータ記憶領域３１に記憶する機能を備える。また、サーバ３０は、携帯端末４０からデータ記憶領域３１に対するアクセス要求を受け付け、データ記憶領域３１に記憶した情報を提示する機能を備える。
【００２２】
携帯端末４０は、利用者が用いる携帯可能なコンピュータであり、たとえば、スマートフォンや、タブレット端末等である。携帯端末４０は、携帯端末４０が備えるカメラで２次元バーコードを読み取り、２次元バーコードに記録されたアクセス情報に基づき、データ記憶領域３１に記憶された情報をブラウザ等で閲覧する機能を備える。アクセス情報は、データ記憶領域３１にアクセスするためのアドレス情報等であり、たとえば、サーバ３０が提供するクラウド上におけるデータを記憶することが可能な領域を示すＵＲＬ（Uniform Resource Locator）である。
【００２３】
ここで、情報処理システム６０における記憶媒体２０に記憶された情報の概要（メタデータ）を提示する方法について説明する。情報処理装置１０の制御部１３は、タグリーダライタ１２を介して記憶媒体２０が備えるタグ２２から識別情報２３を読み取る。
【００２４】
制御部１３は、情報処理装置１０に接続された記憶媒体２０に記憶された情報の少なくとも一部を読み取り、記憶媒体２０から読み取った情報に基づき、記憶媒体２０に記憶された情報の概要であるメタデータ２４を生成する。
【００２５】
メタデータ２４は、記憶媒体２０に記憶された、ファイル名、ファイル数、ファイル更新日時、ディレクトリ名、ディレクトリ数、ディレクトリ構造、記憶媒体２０の記憶容量、記憶媒体２０の記憶残容量、のうち少なくともいずれかを含む情報である。
【００２６】
制御部１３は、ネットワーク５０を介してアクセス可能なデータ記憶領域３１に、識別情報２３およびメタデータ２４を記憶させる。
【００２７】
制御部１３は、識別情報２３と、データ記憶領域３１にアクセスするためのアクセス情報とを記憶部１１に記憶する。制御部１３は、記憶媒体２０が備える情報を表示する表示部２１に、メタデータ２４と、アクセス情報を示す情報とを表示させる。
【００２８】
なお、制御部１３は、生成したメタデータ２４の全てを表示部２１に表示させる指示を送信することが可能である。また、制御部１３は、生成したメタデータ２４の一部を表示部２１に表示させる指示を送信することも可能である。たとえば、制御部１３は、生成したメタデータ２４の情報量が所定の量よりも多い場合、メタデータ２４の一部を抽出し、表示部２１に表示させる指示を記憶媒体２０に送信する。
【００２９】
記憶媒体２０の表示部２１は、メタデータ２４と、アクセス情報を示す情報を表示させる表示指示を情報処理装置１０から受け付けて表示する。表示情報２５は、表示部２１が表示する情報の一例である。表示情報２５は、メタデータの一部であるファイル更新日時と、ディレクトリ構造とを含むものである。また、表示情報２５は、アクセス情報を示す情報（たとえば、アクセス先のサイト情報、アクセス情報を２次元バーコードとしたもの等）を含むものである。
【００３０】
利用者は、記憶媒体２０の表示部２１を目視することで、記憶媒体２０に記憶された情報の概要（メタデータ２４）を確認できる。また、利用者は、携帯端末４０を用いて表示部２１に表示された２次元バーコードを読み取り、アクセス情報で示されたデータ記憶領域３１にアクセスし、メタデータ２４を携帯端末４０のブラウザ等の機能により表示させることができる。このように、利用者は、記憶媒体２０の表示部２１を目視し、または、２次元バーコードで示されたアクセス情報を用いることで、記憶媒体２０に記憶された情報の概要であるメタデータ２４を把握することができる。このため、利用者は、記憶媒体２０の内容を確認するごとに、記憶媒体２０を情報処理装置１０に接続する手間を省くことができる。また、利用者は、メタデータ２４の情報量が多く表示部２１において目視で確認することが困難である場合、携帯端末４０を用いて２次元バーコードを読み取り、データ記憶領域３１に記憶されたメタデータ２４にアクセスして確認することが可能である。
【００３１】
こうして、情報処理システム６０により、記憶媒体２０を利用する際の利便性の向上を図ることができる。
【００３２】
なお、制御部１３は、タグリーダライタ１２を介して、アクセス情報をタグ２２に書き込んで記憶させることができる。これにより、利用者は、タグ２２から情報を読み取る機能を備えた電子機器を用いて、タグ２２に記憶されたアクセス情報を読み取り、アクセス情報に基づきデータ記憶領域３１に記憶されたメタデータ２４にアクセスすることもできる。これにより、表示部２１に表示された２次元バーコードを読み取ることができない場合であっても、タグ２２に記憶されたアクセス情報に基づいてデータ記憶領域３１に記憶されたメタデータ２４にアクセスすることが可能となる。
【００３３】
また、制御部１３は、メタデータ２４として、記憶媒体２０に記憶された、ファイル名、ファイル数、ファイル更新日時、ディレクトリ名、ディレクトリ数、ディレクトリ構造、記憶媒体２０の記憶容量、記憶媒体２０の記憶残容量、のうち少なくともいずれかを含む情報を提示できる。これにより、利用者は、情報処理装置１０からメタデータ２４の提示を受け、記憶媒体２０に記憶された情報の概要を把握することができる。
【００３４】
また、情報処理装置１０は、記憶媒体２０と接続するための接続部（たとえば、ＵＳＢポート）を備え、接続部に対する接続を開閉するスイッチ（たとえば、ＵＳＢポートとの接続の開閉を制御する接続スイッチ）を備えることができる。制御部１３は、タグ２２から識別情報２３を読み取った場合、記憶媒体２０の接続を許可するか否かを判定し、判定した結果に基づき、スイッチの開閉を制御することができる。これにより、情報処理装置１０は、記憶媒体２０に接続する際の安全性を高めることで、利便性を向上できる。
【００３５】
また、制御部１３は、複数の識別情報２３を読み取った場合、複数の識別情報２３に対応するアクセス情報を記憶部１１から読み出し、アクセス情報それぞれに基づいて、複数の識別情報２３に対応するメタデータ２４を取得し、メタデータ２４に含まれる情報が予め定められた条件を満たす記憶媒体２０を特定し、予め定められた条件を満たすメタデータの情報が含まれている旨を、特定した記憶媒体２０表示部２１に表示させる。これにより、利用者に対する利便性を向上させることができる。予め定められた条件は、記憶媒体２０の記憶残容量が最大であることであって、制御部１３は、メタデータ２４それぞれに含まれる記憶媒体２０の記憶残容量を比較し、記憶残容量が最大である識別情報２３を特定し、特定した識別情報２３を記憶したタグ２２を備える記憶媒体２０の表示部２１に、記憶残容量が最大である旨を表示させることができる。これにより、複数の記憶媒体２０が存在する場合、最大の残容量である記憶媒体２０を特定することが可能となり、利便性が向上する。
【００３６】
また、記憶媒体２０は、識別情報２３を記憶するタグ２２と、給電が不要であり、新たな表示指示が行われるまで表示内容を保持し、記憶媒体２０から読み取った情報の概要であるメタデータ２４と、ネットワーク５０を介してアクセス可能なデータ記憶領域３１に記憶されたメタデータ２４にアクセスするためのアクセス情報を示す情報（たとえば、アクセス情報を２次元バーコードとしたもの等）を表示させる表示指示を情報処理装置１０から受け付けて表示する表示部２１とを備える。これにより、利用者は、表示部２１を目視し、または、２次元バーコードで示されたアクセス情報を用いることで、記憶媒体２０に記憶された情報の概要であるメタデータ２４を把握することができる。
【００３７】
また、記憶媒体２０は、アクセス情報をタグ２２に書き込む指示を情報処理装置１０から受け付け、アクセス情報をタグ２２に記憶することができる。これにより、表示部２１に表示された２次元バーコードを読み取ることができない場合であっても、タグ２２に記憶されたアクセス情報に基づいてデータ記憶領域３１に記憶されたメタデータ２４にアクセスすることが可能となる。
【００３８】
こうして、情報処理システム６０により、記憶媒体２０を利用する際の利便性の向上を図ることができる。
【００３９】
［第２の実施形態］
次に、第２の実施形態として、情報処理装置１０をサーバに適用した情報処理システムについて図２を用いて説明する。図２は、第２の実施形態の情報処理システムの一例を示す図である。
【００４０】
情報処理システム５００は、記憶媒体２００に記憶されている内容を利用者に提示するシステムである。利用者は、記憶媒体２００に表示された内容、または携帯端末４００に表示された内容を目視し、記憶媒体２００に記憶された内容を把握することができる。
【００４１】
情報処理システム５００は、情報処理装置１００、記憶媒体２００、クラウドサーバ３００、携帯端末４００を含む。なお、携帯端末４００は、利用者が携帯端末４００を用いて記憶媒体２００の内容を確認する場合に適宜用いるものであり、任意の要素である。
【００４２】
情報処理装置１００は、ネットワーク５１０を介してクラウドサーバ３００と情報通信を行う。また、情報処理装置１００は、記憶媒体２００が備えるタグ２１１と近距離無線通信を行う。なお、ネットワーク５１０は、無線ネットワーク、有線ネットワークを問わない。また、情報処理装置１００、クラウドサーバ３００は、図示した台数に限られるものではなく、２台以上であってもよい。
【００４３】
情報処理装置１００は、記憶媒体２００やクラウドサーバ３００と情報通信を行う機能を備えたコンピュータである。情報処理装置１００は、記憶媒体２００の記憶内容を読み取り、記憶内容の概要（メタデータ）を生成し、概要を記憶媒体２００の表示部２１０に表示させる機能を備える。なお、情報処理装置１００は、ファイル等が多数存在する場合、更新日時が最新のものを表示する指示を記憶媒体２００に送信できる。
【００４４】
また、情報処理装置１００は、データ記憶領域の確保の要求や、生成したメタデータおよびメタデータを保存する要求をクラウドサーバ３００に送信する。
【００４５】
記憶媒体２００は、情報を記憶する装置であり、ディスクやメモリ等である。記憶媒体２００は、情報処理装置１００に対して外部から接続する装置である。記憶媒体２００は、表示部２１０、タグ２１１、タグリーダライタ２１２、コネクタ２１３を含む。なお、利用者が、携帯端末４００を用いて記憶媒体２００の内容を表示させる場合、記憶媒体２００において表示部２１０を備える必要はなく、任意の要素である。また、情報処理装置１００や携帯端末４００が、タグ２１１に対する情報の読み書きを行う機能を備える場合、記憶媒体２００においてタグリーダライタ２１２を備える必要はなく、任意の要素である。
【００４６】
表示部２１０は、情報を表示するものであり、たとえば、電子ペーパーや小型表示パネル等である。表示部２１０は、低消費電力または表示中に電力を消費しないもの（給電が不要）であり、書き換え（新たな表示指示）が行われるまで電源を切っても表示内容を保持できるものであればよい。また、表示部２１０は、薄型であれば望ましい。なお、給電が不要である表示部２１０とは、たとえば、タグ２１１に用いる電波の電力供給（無線給電）で画面の表示が可能なものである。
【００４７】
表示部２１０は、記憶媒体２００に記憶された情報の概要（メタデータ）が表示される。メタデータとは、たとえば、ファイル名、ファイル種別（文書データ、画像データ、音声データ等）、フォルダ名、ディレクトリ名、更新日時、ディレクトリツリー構造、記憶媒体２００の残容量（記憶残容量、空き容量とも記載する）等である。また、表示部２１０は、メタデータが保存されたクラウドサーバ３００にアクセスするためのアクセス情報を２次元バーコード化した情報を表示することもできる。利用者は、２次元バーコードを携帯端末４００等で読み取り、クラウドサーバ３００にアクセスして、メタデータを表示させることもできる。
【００４８】
なお、表示部２１０には、一例として、ファイル名、更新日時、ディレクトリツリー構造の図示、２次元バーコードを表示したものを示すが、これは一例に過ぎず、その他の表示態様であってもよい。
【００４９】
タグ２１１は、識別情報を記憶した非接触タグであり、たとえば、ＲＦＩＤタグ、ＩＣタグ等である。タグリーダライタ２１２は、タグ２１１にデータの書き込みおよび読み出しを行う機能を備える。
【００５０】
コネクタ２１３は、記憶媒体２００と情報処理装置１００とを接続するものであり、たとえば、情報処理装置１００が備えるＵＳＢ（Universal Serial Bus）ポートに接続するためのＵＳＢコネクタである。
【００５１】
なお、第１の実施形態の記憶媒体２０は、図２に示した記憶媒体２００と同様の構成でも実現できる。なお、上記の構成は一例であり、構成部の組み合わせは適宜決定できる。
【００５２】
クラウドサーバ３００は、情報処理装置１００から受信した要求に基づき、データ記憶領域を確保し、メタデータを記憶する。なお、クラウドサーバ３００は、ネットワーク５１０を介してデータ格納要求を受け付け、データを記憶する機能を備えたコンピュータであるが、その他の同等の機能のサービスと置き換えてもよい。
【００５３】
携帯端末４００は、利用者が携帯して用いる端末であり、たとえば、スマートフォンやタブレット型コンピュータ等である。
【００５４】
次に、第２の実施形態の情報処理装置のハードウェア構成について図３を用いて説明する。図３は、第２の実施形態の情報処理装置のハードウェア構成の一例を示す図である。
【００５５】
情報処理装置１００は、プロセッサ１１１、ＲＡＭ（Random Access Memory）１１２、ＨＤＤ（Hard Disk Drive）１１３、画像信号処理部１１４、入力信号処理部１１５、媒体リーダ１１６、通信インタフェース１１７、タグリーダライタ１２０を含む。情報処理装置１００は、プロセッサ１１１によって装置全体が制御されている。プロセッサ１１１には、バス１１８を介してＲＡＭ１１２と複数の周辺機器が接続されている。プロセッサ１１１は、マルチプロセッサであってもよい。プロセッサ１１１は、たとえば、ＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。また、プロセッサ１１１は、ＣＰＵ、ＭＰＵ、ＤＳＰ、ＡＳＩＣ、ＰＬＤのうちの２以上の要素の組み合わせであってもよい。
【００５６】
ＲＡＭ１１２は、情報処理装置１００の主記憶装置として使用される。ＲＡＭ１１２には、プロセッサ１１１に実行させるＯＳ（Operating System）のプログラムやアプリケーションプログラムの少なくとも一部が一時的に記憶される。また、ＲＡＭ１１２には、プロセッサ１１１による処理に必要な各種データが記憶される。
【００５７】
バス１１８に接続されている周辺機器としては、ＨＤＤ１１３、画像信号処理部１１４、入力信号処理部１１５、媒体リーダ１１６および通信インタフェース１１７がある。
【００５８】
ＨＤＤ１１３は、内蔵したディスクに対して、磁気的にデータの書き込みおよび読み出しを行う。ＨＤＤ１１３は、情報処理装置１００の補助記憶装置として使用される。ＨＤＤ１１３には、ＯＳのプログラム、アプリケーションプログラム、および各種データが記憶される。なお、ＨＤＤ１１３に限らず、ＳＳＤ（Solid State Drive）を使用することもできる。なお、補助記憶装置としては、フラッシュメモリ等の半導体記憶装置を使用することもできる。
【００５９】
画像信号処理部１１４は、プロセッサ１１１からの命令に従って、情報処理装置１００に接続されたディスプレイ１１４ａに画像を出力する。ディスプレイ１１４ａとしては、ＣＲＴ（Cathode Ray Tube）ディスプレイ、液晶ディスプレイ（ＬＣＤ：Liquid Crystal Display）、プラズマディスプレイ、有機ＥＬ（ＯＥＬ：Organic Electro-Luminescence）ディスプレイ等、任意の種類のディスプレイを用いることができる。
【００６０】
入力信号処理部１１５は、情報処理装置１００に接続された入力デバイス１１５ａから入力信号を取得し、プロセッサ１１１に出力する。入力デバイス１１５ａとしては、マウス、タッチパネル、タッチパッド、トラックボール、キーボード、リモートコントローラ、ボタンスイッチ等、任意の種類の入力デバイスを用いることができる。
【００６１】
媒体リーダ１１６は、記憶媒体１１９，２００に記録されたプログラムやデータを読み取る読み取り装置である。記憶媒体１１９として、たとえば、磁気ディスク、光ディスク、光磁気ディスク（ＭＯ：Magneto-Optical disk）、半導体メモリ等を使用できる。磁気ディスクには、フレキシブルディスク（ＦＤ：Flexible Disk）やＨＤＤが含まれる。光ディスクには、ＣＤ（Compact Disc）やＤＶＤ（Digital Versatile Disc）が含まれる。なお、ディスクの態様の記憶メディアが、表示部２１０やタグ２１１を備えてもよい。
【００６２】
媒体リーダ１１６は、たとえば、記憶媒体１１９，２００から読み取ったプログラムやデータを、ＲＡＭ１１２やＨＤＤ１１３等の他の記憶媒体にコピーする。読み取られたプログラムは、たとえば、プロセッサ１１１によって実行される。なお、記憶媒体１１９，２００は可搬型記憶媒体であってもよく、プログラムやデータの配布に用いられることがある。また、記憶媒体１１９，２００やＨＤＤ１１３を、コンピュータ読み取り可能な記憶媒体と言うことがある。なお、図３においては、ＵＳＢポートの記載は省略する。
【００６３】
通信インタフェース１１７は、ネットワーク５１０に接続されている。通信インタフェース１１７は、他のコンピュータ、記憶装置、または通信機器との間でデータの送受信を行う。通信インタフェース１１７は、有線ネットワーク、無線ネットワークのいずれにも対応可能である。
【００６４】
タグリーダライタ１２０は、タグ２１１にデータの書き込みおよび読み出しを行う機能を備える。
【００６５】
以上のようなハードウェア構成によって、第２の実施形態の情報処理装置１００の処理機能を実現することができる。なお、第１の実施形態の情報処理装置１０、サーバ３０、携帯端末４０は、図３に示した情報処理装置１００のハードウェア構成で実現できる。また、第２の実施形態のクラウドサーバ３００、携帯端末４００も図３に示した情報処理装置１００のハードウェア構成で実現できる。
【００６６】
なお、上記の構成は一例であり、構成部の組み合わせは適宜決定できる。たとえば、携帯端末４００の場合、ディスプレイ１１４ａおよび入力デバイス１１５ａに換えて、液晶画面およびタッチパネルを本体と一体型として備え、無線通信機能を備えるものとしてもよい。また、タグリーダライタ１２０は、内臓型であっても、外付型であってもどちらでもよい。
【００６７】
情報処理装置１００は、たとえばコンピュータ読み取り可能な記憶媒体に記録されたプログラムを実行することにより、第２の実施形態の処理機能を実現する。情報処理装置１００に実行させる処理内容を記述したプログラムは、様々な記憶媒体に記録しておくことができる。たとえば、情報処理装置１００に実行させるプログラムをＨＤＤ１１３に記憶しておくことができる。プロセッサ１１１は、ＨＤＤ１１３内のプログラムの少なくとも一部をＲＡＭ１１２にロードし、プログラムを実行する。また、情報処理装置１００に実行させるプログラムを、光ディスク、メモリ装置、メモリカード等の可搬型記憶媒体に記録しておくこともできる。可搬型記憶媒体に記憶されたプログラムは、たとえばプロセッサ１１１からの制御により、ＨＤＤ１１３にインストールされた後、実行可能となる。また、プロセッサ１１１が、可搬型記憶媒体から直接プログラムを読み出して実行することもできる。
【００６８】
次に、情報処理システムの機能について図４を用いて説明する。図４は、第２の実施形態の情報処理システムの機能の一例を示す図である。
【００６９】
情報処理システム５００に含まれる情報処理装置１００、クラウドサーバ３００、携帯端末４００について説明する。
【００７０】
情報処理装置１００は、記憶媒体２００から記憶された情報を読み取り、メタデータを生成し、記憶媒体２００の表示部２１０に表示させる機能を備える。また、情報処理装置１００は、クラウドサーバ３００にデータ記憶領域を確保する要求を送信し、クラウドサーバ３００から応答を受信し、クラウドサーバ３００上に確保したデータ記憶領域を記憶媒体２００ごとに管理する機能も備える。
【００７１】
情報処理装置１００は、制御部１５０、記憶部１６０、表示部１７０、入力部１８０を含む。制御部１５０は、プロセッサ１１１により実現される。具体的には、プロセッサ１１１は、ＲＡＭ１１２に記憶されたプログラムを実行することで、制御部１５０の機能を発揮する。なお、制御部１５０は、ＦＰＧＡ（Field Programmable Gate Array）やＡＳＩＣ等のハードワイヤードロジックにより実現されてもよい。
【００７２】
記憶部１６０は、ＲＡＭ１１２の記憶領域等を用いて実現される。記憶部１６０は、メタデータや、クラウドサーバ３００に確保したデータ記憶領域へアクセスするための情報を記憶する。記憶部１６０は、タグリーダライタ１２０を介してタグ２１１から読み取った情報を記憶部４６０に記憶できる。記憶部１６０は、媒体リーダ１１６を介して記憶媒体１１９，２００から読み取った情報を記憶できる。
【００７３】
表示部１７０は、情報を表示する装置であり、たとえば、ディスプレイ１１４ａである。入力部１８０は、情報を入力する装置であり、たとえば、キーボードやマウス等の入力デバイス１１５aである。
【００７４】
クラウドサーバ３００は、情報処理装置１００から要求を受け付け、データ記憶領域を確保し、データ記憶領域にアクセスするための情報を情報処理装置１００に送信する機能を備える。
【００７５】
クラウドサーバ３００は、制御部３５０、記憶部３６０、表示部３７０、入力部３８０を含む。制御部３５０は、クラウドサーバ３００が備えるプロセッサにより実現される。具体的には、プロセッサは、クラウドサーバ３００が備えるＲＡＭに記憶されたプログラムを実行することで、制御部３５０の機能を発揮する。なお、制御部３５０は、ＦＰＧＡやＡＳＩＣ等のハードワイヤードロジックにより実現されてもよい。
【００７６】
記憶部３６０は、クラウドサーバ３００が備えるＲＡＭの記憶領域等を用いて実現される。記憶部３６０は、情報処理装置１００から受信したメタデータやタグ２１１の識別情報や、データ記憶領域を管理する情報を記憶する。表示部３７０は、情報を表示する装置であり、たとえば、ディスプレイである。入力部３８０は、情報を入力する装置であり、たとえば、キーボードやマウス等の入力デバイスである。
【００７７】
携帯端末４００は、記憶媒体２００の表示部２１０に表示された２次元バーコードを読み取り、クラウドサーバ３００にアクセスして、メタデータを表示部４７０に表示する機能を備える。
【００７８】
携帯端末４００は、制御部４５０、記憶部４６０、表示部４７０、入力部４８０、カメラ４９０を含む。制御部４５０は、携帯端末４００が備えるプロセッサにより実現される。具体的には、プロセッサは、携帯端末４００が備えるＲＡＭに記憶されたプログラムを実行することで、制御部４５０の機能を発揮する。なお、制御部４５０は、ＦＰＧＡやＡＳＩＣ等のハードワイヤードロジックにより実現されてもよい。
【００７９】
記憶部４６０は、携帯端末４００が備えるＲＡＭの記憶領域等を用いて実現される。記憶部４６０は、２次元バーコードから読み取った情報や、クラウドサーバ３００にアクセスするための情報等を記憶する。なお、携帯端末４００が、タグリーダライタ１２０を備えている場合、タグ２１１から読み取った情報を記憶部４６０に記憶できる。
【００８０】
表示部４７０は、情報を表示する装置であり、たとえば、液晶パネル等の各種表示パネルである。入力部４８０は、情報を入力する装置であり、たとえば、タッチパネル等の入力デバイスである。カメラ４９０は、画像を撮影する装置である。携帯端末４００は、カメラ４９０を介して、表示された２次元バーコードを取得できる。
【００８１】
次に、第２の実施形態の情報処理装置１００が記憶する媒体アクセス管理情報の一例について図５を用いて説明する。図５は、第２の実施形態の媒体アクセス管理情報の一例を示す図である。
【００８２】
媒体アクセス管理情報６００は、記憶媒体２００が備えるタグ２１１の識別情報と、記憶媒体２００に記憶された内容に基づき生成したメタデータの格納先のクラウドサーバ３００にアクセスするためのアクセス情報とを管理する情報である。情報処理装置１００は、記憶媒体２００に対する初回のアクセス時に媒体アクセス管理情報６００のエントリを生成し、記憶部１６０に記憶する。
【００８３】
媒体アクセス管理情報６００は、エントリ作成日時、識別情報（タグＩＤ）、アクセス情報、最新アクセス日時の項目を含む。なお、エントリ作成日時、最新アクセス日時の項目は、任意の項目である。
【００８４】
エントリ作成日時の項目には、情報処理装置１００が媒体アクセス管理情報６００にエントリを生成した日時が登録される。
【００８５】
識別情報（タグＩＤ）の項目には、タグ２１１が記憶する固有の識別情報（タグＩＤ）が登録される。なお、タグ２１１は、識別情報（タグＩＤ）により一意に識別される。
【００８６】
アクセス情報の項目は、記憶媒体２００に記憶された内容に基づき生成したメタデータの格納先のクラウドサーバ３００にアクセスするためのアクセス情報が登録される。アクセス情報とは、クラウドサーバ３００におけるメタデータを格納したデータ記憶領域にアクセスできる情報であり、たとえば、ＵＲＬである。
【００８７】
最新アクセス日時の項目は、情報処理装置１００が記憶媒体２００の内容を読み取った日時のうち最新の日時、言い換えると、情報処理装置１００が記憶媒体２００にアクセスした最新の日時が登録される。
【００８８】
ここで、媒体アクセス管理情報６００に登録されるエントリについて説明する。
媒体アクセス管理情報６００には、エントリ作成日時が「２０２０／４／１  １０：００」、識別情報が「０００１０１００」、アクセス情報が「ｈｔｔｐｓ：／／ａｂｃ．ｃｏｍ／ａ１」、最新アクセス日時が「２０２０／４／１  １１：００」という情報が登録される。
【００８９】
これは、情報処理装置１００が、媒体アクセス管理情報６００にエントリを作成した日時が「２０２０年４月１日  １０時００分」であり、タグ２１１の識別情報が「０００１０１００」であることを示す。また、メタデータへのアクセス情報が「ｈｔｔｐｓ：／／ａｂｃ．ｃｏｍ／ａ１」であり、情報処理装置１００が記憶媒体２００にアクセスした最新の日時が「２０２０年４月１日  １１時００分」であることを示す。
【００９０】
なお、媒体アクセス管理情報６００に含まれる項目は一例に過ぎず、項目の組み合わせは適宜決定できる。
【００９１】
次に、第２の実施形態の情報処理装置１００における初期登録処理について図６を用いて説明する。図６は、第２の実施形態の初期登録処理のフローチャートの一例を示す図である。
【００９２】
初期登録処理は、情報処理装置１００が、媒体アクセス管理情報６００に登録されていない記憶媒体２００を登録する処理である。初期登録処理は、情報処理装置１００の制御部１５０（プロセッサ１１１）が実行する処理である。
【００９３】
［ステップＳ１１］情報処理装置１００は、タグリーダライタ１２０を介してタグ２１１から識別情報を読み取る。
【００９４】
［ステップＳ１２］情報処理装置１００は、媒体アクセス管理情報６００を記憶部１６０から読み出す。
【００９５】
［ステップＳ１３］情報処理装置１００は、媒体アクセス管理情報６００に識別情報が登録済みであるか否かを判定する。情報処理装置１００は、識別情報が登録されていない場合はステップＳ１４にすすみ、識別情報が登録されている場合は処理を終了する。
【００９６】
［ステップＳ１４］情報処理装置１００は、クラウドサーバ３００にデータを格納する領域を設定する要求（データ記憶領域設定要求）を送信する。なお、情報処理装置１００は、クラウドサーバ３００に予め定められた容量（たとえば、１００ＧＢ等）の記憶領域を確保する要求を送信する。
【００９７】
本ステップにより、クラウドサーバ３００が管理する記憶領域に、識別情報に対応するデータ記憶領域が設定される。言い換えると、クラウドサーバ３００が管理する記憶装置におけるデータ記憶領域の容量、データ記憶領域に記憶された情報にアクセスするための情報であるアクセス情報（ＵＲＬ）が定まる。
【００９８】
［ステップＳ１５］情報処理装置１００は、クラウドサーバ３００からデータを格納する領域を設定した旨の応答（データ記憶領域設定応答）とアクセス情報を受信する。情報処理装置１００は、アクセス情報を用いることで、クラウドサーバ３００上に確保されたデータ記憶領域にアクセスし、データ記憶領域に対して情報の読み出しや、情報の書き込みが可能となる。
【００９９】
［ステップＳ１６］情報処理装置１００は、識別情報と、アクセス情報とを媒体アクセス管理情報６００に登録する。なお、情報処理装置１００は、媒体アクセス管理情報６００のエントリ作成日時と最新アクセス日時に、現在日時を登録することができる。
【０１００】
次に、第２の実施形態の情報処理装置１００におけるメタデータ表示処理について図７を用いて説明する。図７は、第２の実施形態のメタデータ表示処理のフローチャートの一例を示す図である。
【０１０１】
メタデータ表示処理は、情報処理装置１００が記憶媒体２００の表示部２１０に対してメタデータ（記憶内容の概要）を表示させる処理である。メタデータ表示処理は、情報処理装置１００の制御部１５０（プロセッサ１１１）が実行する処理である。
【０１０２】
［ステップＳ２１］情報処理装置１００は、媒体リーダ１１６を介して記憶媒体２００の接続を検出したか否かを判定する。情報処理装置１００は、記憶媒体２００が接続したことを検出した場合はステップＳ２２にすすみ、検出しない場合はステップＳ２１にもどる。
【０１０３】
［ステップＳ２２］情報処理装置１００は、タグ２１１から識別情報を読み取る。
【０１０４】
［ステップＳ２３］情報処理装置１００は、記憶媒体２００に記憶された情報の少なくとも一部を読み取る。本ステップで記憶媒体２００から読み取った情報を読取情報と記載する。
【０１０５】
［ステップＳ２４］情報処理装置１００は、記憶媒体２００から読み取った読取情報に基づき、記憶媒体２００に記憶された情報の概要を示すメタデータを生成する。たとえば、情報処理装置１００は、記憶媒体２００に記憶された情報がテレビ番組の録画データである場合、番組名、録画時間、録画データの数、記憶領域の残容量、等を読取情報からメタデータとして生成する。また、情報処理装置１００は、記憶媒体２００に記憶された情報がデータファイルである場合、ファイル名、ファイル数、ファイルの更新日時、ファイルを格納したディレクトリ名、ディレクトリのツリー構造、記憶領域の残容量、等を読取情報からメタデータとして生成する。
【０１０６】
［ステップＳ２５］情報処理装置１００は、ステップＳ２２で読み取った識別情報に対応するアクセス情報を媒体アクセス管理情報６００から読み出す。
【０１０７】
［ステップＳ２６］情報処理装置１００は、ステップＳ２４で生成したメタデータと、クラウドサーバ３００に記憶されたメタデータとが同一であるか否かを判定する。具体的には、情報処理装置１００は、ステップＳ２５で読み出したアクセス情報に基づき、クラウドサーバ３００にアクセスし、クラウドサーバ上に記憶されたメタデータを取得する。情報処理装置１００は、クラウドサーバ３００のデータ記憶領域に記憶されたメタデータと、ステップＳ２４で生成したメタデータとが同一であるか否かを判定する。
【０１０８】
情報処理装置１００は、生成したメタデータとクラウドサーバ３００上のメタデータとが同一である場合、生成したメタデータをクラウドサーバ３００にアップロードせず、処理を終了する。
【０１０９】
情報処理装置１００は、生成したメタデータとクラウドサーバ３００上のメタデータとが同一でない場合、ステップＳ２６にすすむ。なお、生成したメタデータとクラウドサーバ３００上のメタデータとが同一でない場合には、読取情報に対してメタデータを生成するのが初回である場合（クラウドサーバ３００上に比較対象のメタデータが記憶されていない場合）がある。また、記憶媒体２００に記憶された内容が更新され、過去に作成されたメタデータと、ステップＳ２４で生成したメタデータとの差分が生じる場合である。
【０１１０】
［ステップＳ２７］情報処理装置１００は、記憶媒体２００の表示部２１０にステップＳ２４で生成したメタデータを表示する指示を送信する。情報処理装置１００は、生成したメタデータに含まれる情報量が所定の閾値よりも多い場合、更新日時が最新のものを表示する指示を記憶媒体２００に送信できる。所定の閾値とは、たとえば、表示部２１０に表示させる文字数や、ファイルやディレクトリ数等、表示させる情報の量を定める値である。
【０１１１】
なお、記憶媒体２００の表示部２１０は、情報処理装置１００からの指示を受けメタデータを表示する。たとえば、記憶媒体２００に記憶された情報が録画データである場合、表示部２１０は録画データの概要を示す番組名などのメタデータを表示してよい。
【０１１２】
［ステップＳ２８］情報処理装置１００は、アクセス情報に基づきクラウドサーバ３００にアクセスし、ステップＳ２４で生成したメタデータをクラウドサーバ３００にアップロードする。具体的には、情報処理装置１００は、クラウドサーバ３００に、ステップＳ２４で生成したメタデータを、識別情報に対応するデータ記憶領域として設定された領域に記憶するよう要求を送信する。
【０１１３】
本ステップにより、クラウドサーバ３００が管理する識別情報に対応するデータ記憶領域に、識別情報に対応する記憶媒体２００から生成したメタデータが記憶される。
【０１１４】
［ステップＳ２９］情報処理装置１００は、タグリーダライタ１２０を介してタグ２１１にアクセス情報を書き込む指示をする。
【０１１５】
タグ２１１は、情報処理装置１００の指示に従いアクセス情報を記憶する。なお、記憶媒体２００がタグリーダライタ２１２を備えており、情報処理装置１００がタグリーダライタ１２０を備えていない場合、情報処理装置１００は、タグリーダライタ２１２を介してアクセス情報をタグ２１１に書き込む。
【０１１６】
［ステップＳ３０］情報処理装置１００は、アクセス情報を２次元バーコード化し、記憶媒体２００の表示部２１０に表示する指示を送信する。なお、２次元バーコードを生成する機能は、既存のプログラムの機能を利用してもよい。表示部２１０は、情報処理装置１００の指示に従い、２次元バーコードを表示する。なお、記憶媒体２００は、情報処理装置１００からの接続を解除した後も、新たな表示指示を受け付けるまで表示部２１０に表示した内容を維持する。
【０１１７】
このように、情報処理装置１００は、記憶媒体２００の記憶内容に基づいてメタデータを生成し、記憶媒体２００の表示部２１０に表示させる。これにより、利用者は、表示部２１０を目視することで、記憶媒体２００に記憶された概要を把握できる。また、利用者は、タグリーダを備えた装置を用いて、タグ２１１に記憶されたアクセス情報を読み取ることで、クラウドサーバ３００によってデータ記憶領域に記憶されたメタデータにアクセスし、記憶媒体２００に記憶された概要を把握できる。
【０１１８】
また、利用者は、携帯端末４００を用いて２次元バーコードをスキャンし、クラウドサーバ３００によってデータ記憶領域に記憶されたメタデータにアクセスし、記憶媒体２００に記憶された概要を把握できる。これにより、記憶媒体２００が備える表示部２１０が小型であり、メタデータの一部のみを表示する場合であっても、クラウドサーバ３００にアクセスすることで全てのメタデータを携帯端末４００で表示させ目視することができる。
【０１１９】
次に、第２の実施形態の携帯端末４００における携帯端末読取処理について図８を用いて説明する。図８は、第２の実施形態の携帯端末読取処理のフローチャートの一例を示す図である。
【０１２０】
携帯端末読取処理は、携帯端末４００が記憶媒体２００の表示部２１０に表示された２次元バーコードを読み取り、メタデータを表示する処理である。携帯端末読取処理は、携帯端末４００の制御部４５０（携帯端末４００が備えるプロセッサ）が実行する処理である。
【０１２１】
［ステップＳ４１］携帯端末４００は、２次元バーコードまたはタグ２１１からアクセス情報を読み出す。たとえば、携帯端末４００は、カメラ４９０を介して記憶媒体２００の表示部２１０に表示された２次元バーコードを読み取ることにより、アクセス情報を取得する。また、携帯端末４００が、タグリーダの機能を備えている場合は、記憶媒体２００のタグ２１１からアクセス情報を読み出す。
【０１２２】
［ステップＳ４２］携帯端末４００は、アクセス情報に基づき、クラウドサーバ３００にアクセスし、クラウドサーバ３００のデータ記憶領域に記憶されたメタデータを取得し、表示部４７０に表示する。
【０１２３】
こうして、利用者は、本処理を利用することにより、記憶媒体２００を情報処理装置１００に接続せずに、記憶媒体２００の記憶された情報の概要（メタデータ）を目視することができる。また、記憶媒体２００が表示部２１０を備えていない場合であっても、携帯端末４００がタグ２１１に記憶されたアクセス情報を読み出すことで、メタデータを携帯端末４００の表示部４７０表示することができる。
【０１２４】
このように、情報処理装置１００は、記憶媒体２００に記憶された情報の概要（メタデータ）を生成し、クラウドサーバ３００のデータ記憶領域にメタデータを記憶させることができる。また、情報処理装置１００は、生成したメタデータを記憶媒体２００が備える表示部２１０に表示させることができる。また、情報処理装置１００は、メタデータを記憶したクラウドサーバ３００のデータ記憶領域を特定するための情報であるアクセス情報を、記憶媒体２００の表示部２１０に表示させることができる。また、情報処理装置１００は、アクセス情報を記憶媒体２００のタグ２１１に記憶させることができる。
【０１２５】
また、利用者は、表示部２１０に表示されたメタデータを目視することで、記憶媒体２００を情報処理装置１００に接続せずに記憶された情報の概要を把握することができる。また、利用者は、携帯端末４００を用いて、クラウドサーバ３００のデータ記憶領域に記憶されたメタデータを取得し表示することで、記憶媒体２００に記憶された情報を把握することもできる。また、利用者は、携帯端末４００が備えるタグリーダの機能を用いて、タグ２１１に記憶されたアクセス情報を取得し、クラウドサーバ３００のデータ記憶領域に記憶されたメタデータを取得し表示することで、記憶媒体２００に記憶された情報を把握することもできる。
【０１２６】
こうして、情報処理システム５００により、記憶媒体２００を利用する際の利便性の向上を図ることができる。
【０１２７】
なお、情報処理装置１００の制御部１５０は、タグリーダライタ１２０を介して、アクセス情報をタグ２１１に書き込んで記憶させることができる。これにより、利用者は、タグ２１１から情報を読み取る機能を備えた電子機器を用いて、タグ２１１に記憶されたアクセス情報を読み取り、アクセス情報に基づきデータ記憶領域に記憶されたメタデータにアクセスすることもできる。これにより、記憶媒体２００の表示部２１０に表示された２次元バーコードを読み取ることができない場合であっても、タグ２１１に記憶されたアクセス情報に基づいてデータ記憶領域に記憶されたメタデータにアクセスすることが可能となる。
【０１２８】
また、情報処理装置１００の制御部１５０は、メタデータとして、記憶媒体２００に記憶された、ファイル名、ファイル数、ファイル更新日時、ディレクトリ名、ディレクトリ数、ディレクトリ構造、記憶媒体２００の記憶容量、記憶媒体２００の記憶残容量、のうち少なくともいずれかを含む情報を提示できる。これにより、利用者は、情報処理装置１００からメタデータの提示を受け、記憶媒体２００に記憶された情報の概要を把握することができる。
【０１２９】
また、記憶媒体２００は、識別情報を記憶するタグ２１１と、給電が不要であり、新たな表示指示が行われるまで表示内容を保持し、記憶媒体２００から読み取った情報の概要であるメタデータと、ネットワーク５１０を介してアクセス可能なデータ記憶領域に記憶されたメタデータにアクセスするためのアクセス情報を示す情報（たとえば、アクセス情報を２次元バーコードとしたもの）を表示させる表示指示を情報処理装置１００から受け付けて表示する表示部２１０とを備える。これにより、利用者は、表示部２１０を目視し、または、２次元バーコードで示されたアクセス情報を用いることで、記憶媒体２００に記憶された情報の概要であるメタデータを把握することができる。
【０１３０】
また、記憶媒体２００は、アクセス情報をタグ２１１に書き込む指示を情報処理装置１００から受け付け、アクセス情報をタグ２１１に記憶することができる。これにより、表示部２１０に表示された２次元バーコードを読み取ることができない場合であっても、タグ２１１に記憶されたアクセス情報に基づいてデータ記憶領域に記憶されたメタデータにアクセスすることが可能となる。
【０１３１】
このように、情報処理システム５００は、記憶媒体２００を利用する際の利便性の向上を図ることができる。
【０１３２】
［第３の実施形態］
次に、第３の実施形態として、情報処理システム５００に情報処理装置１００ａを適用したシステムについて説明する。情報処理システム５００に含まれる要素について、情報処理装置１００ａ以外は、図２と同様であるため、説明を省略する。
【０１３３】
図９は、第３の実施形態の情報処理装置のハードウェア構成の一例を示す図である。情報処理装置１００ａは、ＵＳＢポート１２１と、接続スイッチ１２２とを図示した以外については、図３の情報処理装置１００と同様である。また、情報処理装置１００ａの機能についても、図４の情報処理装置１００と同様である。情報処理装置１００ａについて、情報処理装置１００と同様の部分については、説明を適宜省略する。
【０１３４】
情報処理装置１００ａは、情報処理装置１００が備える要素と、更に、ＵＳＢポート１２１と、接続スイッチ１２２と、を備える。なお、情報処理装置１００も、ＵＳＢポート１２１を備えているが、情報処理装置１００の説明において省略している。ＵＳＢポート１２１および接続スイッチ１２２は、媒体リーダ１１６が備える記憶媒体２００との接続部分を媒体リーダ１１６から独立させたものである。
【０１３５】
ＵＳＢポート１２１は、記憶媒体２００と接続するための接続部であり、記憶媒体２００が備えるＵＳＢコネクタと接続するポートである。なお、情報処理装置１００ａは、記憶媒体２００が備えるコネクタの機能に合わせて、他のポートを備えることもできる。
【０１３６】
接続スイッチ１２２は、ＵＳＢポート１２１と接続または接続解除を行うものである。接続スイッチ１２２は、プロセッサ１１１の指示に従い、接続または接続解除（スイッチの開閉）を行う。接続スイッチ１２２は、ＵＳＢポート１２１の接続を許可する場合、スイッチをオンにする（スイッチを閉じる）。接続スイッチ１２２は、ＵＳＢポート１２１の接続を不可とする場合、スイッチをオフにする（スイッチを開く）。
【０１３７】
媒体リーダ１１６は、接続スイッチ１２２がオンの場合、記憶媒体２００に記憶された情報を読み取り、プロセッサ１１１等に送ることができる。
【０１３８】
次に、第３の実施形態の情報処理装置１００ａが記憶する媒体認証管理情報の一例について図１０を用いて説明する。図１０は、第３の実施形態の媒体認証管理情報の一例を示す図である。
【０１３９】
媒体認証管理情報６１０は、媒体認証情報の項目を含む以外については、媒体アクセス管理情報６００と同様である。媒体認証管理情報６１０について、媒体アクセス管理情報６００と同様の部分については、説明を適宜省略する。
【０１４０】
媒体認証管理情報６１０は、媒体アクセス管理情報６００が含む項目と、更に、媒体認証情報の項目とを含む。媒体認証管理情報６１０は、情報処理装置１００ａの記憶部１６０に記憶される情報である。媒体認証情報の項目には、情報処理装置１００ａが生成した媒体認証情報が登録される。媒体認証情報は、情報処理装置１００ａが、媒体２００の接続を許可するか否かを判定する情報である。
【０１４１】
次に、第３の実施形態の情報処理装置１００ａにおける接続判定処理について図１１を用いて説明する。図１１は、第３の実施形態の接続判定処理のフローチャートの一例を示す図である。
【０１４２】
接続判定処理は、情報処理装置１００ａが、記憶媒体２００の接続の可否を判定し、接続スイッチ１２２を制御する処理である。接続判定処理は、情報処理装置１００ａの制御部１５０（プロセッサ１１１）が実行する処理である。
【０１４３】
［ステップＳ５１］情報処理装置１００ａは、タグリーダライタ１２０を介してタグ２１１を検出したか否かを判定する。情報処理装置１００ａは、タグ２１１を検出した場合はステップＳ５２にすすみ、検出しない場合はステップＳ５１にもどる。
【０１４４】
［ステップＳ５２］情報処理装置１００ａは、タグリーダライタ１２０を介してタグ２１１から識別情報を読み取る。
【０１４５】
［ステップＳ５３］情報処理装置１００ａは、情報処理装置１００ａの固有情報を読み出す。固有情報とは、情報処理装置１００ａを一意に特定する識別情報である。たとえば、情報処理装置１００ａは、システムコマンドを用いて物理アドレス（ＭＡＣ（Medeia Access Control）アドレス）を読み出し、情報処理装置１００ａを識別する固有情報として用いる。
【０１４６】
［ステップＳ５４］情報処理装置１００ａは、識別情報を固有情報で暗号化し、媒体認証情報を生成する。
【０１４７】
ここで、媒体認証管理情報６１０の最初のエントリを用いて説明する。情報処理装置１００ａは、識別情報「０００１０１００」を、物理アドレスを用いて暗号化して生成した値「ＸＸＸＸＸ」を媒体認証情報として媒体認証管理情報６１０に登録する。
【０１４８】
なお、暗号化アルゴリズムは、いずれのものであってもよい。また、暗号化に限らず、識別情報と、情報処理装置１００ａを識別する固有情報とを用いて算出した値を媒体認証情報として用いてもよい。
【０１４９】
［ステップＳ５５］情報処理装置１００ａは、ステップＳ５４で生成した媒体認証情報が、媒体認証管理情報６１０に登録済みであるか否かを判定する。情報処理装置１００ａは、媒体認証情報が登録済みである場合、ステップＳ５８にすすむ。情報処理装置１００ａは、媒体認証情報が登録済みでない場合、ステップＳ５６にすすむ。
【０１５０】
［ステップＳ５６］情報処理装置１００ａは、個人認証画面を表示部１７０に表示し、個人認証情報（ユーザＩＤ、パスワード）を受け付ける。個人認証画面とは、ユーザＩＤおよびパスワードを受け付ける画面である。たとえば、情報処理装置１００ａは、情報処理装置１００ａが実行する各種プログラムの利用者認証のためのユーザＩＤおよびパスワードを利用して個人認証を行うことができる。
【０１５１】
なお、情報処理装置１００ａを利用する利用者の個人認証が可能な方法であれば、その他の方法（生体認証等）で代用してもよい。
【０１５２】
［ステップＳ５７］情報処理装置１００ａは、個人認証情報に対し認証に問題が無いか否かを判定する。情報処理装置１００ａは、認証に問題が無い場合、ステップＳ５８にすすむ。情報処理装置１００ａは、認証に問題がある場合（個人認証情報が不整合である場合）、ステップＳ５９にすすむ。
【０１５３】
［ステップＳ５８］情報処理装置１００ａは、ＵＳＢポート１２１の接続を許可する。言い換えると、情報処理装置１００ａは、接続スイッチ１２２をオンにし、ＵＳＢポート１２１を接続する。なお、接続スイッチ１２２は、初期状態においてオフであり、ＵＳＢポート１２１を接続しない状態であるものとする。
【０１５４】
情報処理装置１００ａは、ＵＳＢポート１２１の接続を許可した後、ステップＳ５１にもどる。
【０１５５】
［ステップＳ５９］情報処理装置１００ａは、ＵＳＢポート１２１の接続を不可とする。言い換えると、情報処理装置１００ａは、接続スイッチ１２２のオフの状態と保ち、ＵＳＢポート１２１を接続しない状態を保つ。
【０１５６】
情報処理装置１００ａは、ＵＳＢポート１２１の接続を不可とした後、ステップＳ５１にもどる。
【０１５７】
なお、情報処理装置１００ａは、接続判定処理を、他の処理のバックグラウンドで実行を継続できる。
【０１５８】
このように、情報処理装置１００ａは、媒体認証情報、または、個人認証情報による認証が整合した場合にＵＳＢポート１２１を接続し、不整合である場合にはＵＳＢを接続しない制御ができる。
【０１５９】
このため、情報処理装置１００ａに、ＵＳＢメモリやＵＳＢ−ＨＤＤ等の記憶媒体２００が、ＵＳＢポート１２１に差し込まれた場合であっても、接続スイッチ１２２がオフであれば繋がることがなく、ウイルス等の感染に対する対策を講じることができる。
【０１６０】
次に、第３の実施形態の情報処理装置１００ａにおける接続判定初期登録処理について図１２を用いて説明する。図１２は、第３の実施形態の接続判定初期登録処理のフローチャートの一例を示す図である。
【０１６１】
接続判定初期登録処理は、情報処理装置１００ａが、ＵＳＢポート１２１に接続した記憶媒体２００について、媒体認証管理情報６１０に登録されていない記憶媒体２００を登録する処理である。接続判定初期登録処理は、情報処理装置１００ａの制御部１５０（プロセッサ１１１）が実行する処理である。情報処理装置１００ａは、記憶媒体２００の接続が許可され、初期登録を実行する旨の指示を受け付けた場合に接続判定初期登録処理を実行する。
【０１６２】
［ステップＳ６１］情報処理装置１００ａは、ＵＳＢポート１２１の接続を許可したか否かを判定する。情報処理装置１００ａは、接続を許可しない場合、ステップＳ６２にすすむ。情報処理装置１００ａは、接続を許可した場合、ステップＳ６３にすすむ。
【０１６３】
本ステップの処理について補足説明する。情報処理装置１００ａは、接続判定処理のステップＳ５８において、ＵＳＢポート１２１の接続を許可した場合、ＵＳＢポート１２１の接続を許可したと判定する。情報処理装置１００ａは、接続判定処理のステップＳ５９において、ＵＳＢポート１２１の接続を不可とした場合、ＵＳＢポート１２１の接続を許可しないと判定する。
【０１６４】
［ステップＳ６２］情報処理装置１００ａは、記憶媒体２００が接続不可である旨を表示部１７０に表示し、処理を終了する。
【０１６５】
［ステップＳ６３］情報処理装置１００ａは、タグリーダライタ１２０を介してタグ２１１から識別情報を読み取る。
【０１６６】
［ステップＳ６４］情報処理装置１００ａは、情報処理装置１００ａの固有情報を読み出す。本ステップは、ステップＳ５３と同様である。
【０１６７】
［ステップＳ６５］情報処理装置１００ａは、識別情報を固有情報で暗号化し、媒体認証情報を生成する。本ステップは、ステップＳ５４と同様である。
【０１６８】
［ステップＳ６６］情報処理装置１００ａは、ステップＳ６５で生成した媒体認証情報が、媒体認証管理情報６１０に登録済みであるか否かを判定する。情報処理装置１００ａは、媒体認証情報が登録済みである場合、ステップＳ６７にすすむ。情報処理装置１００ａは、媒体認証情報が登録済みでない場合、ステップＳ６８にすすむ。
【０１６９】
［ステップＳ６７］情報処理装置１００ａは、記憶媒体２００が登録済みである旨を表示部１７０に表示し、処理を終了する。
【０１７０】
［ステップＳ６８］情報処理装置１００ａは、記憶媒体２００が未登録であり、初期登録を行う旨を表示部１７０に表示する。
【０１７１】
［ステップＳ６９］情報処理装置１００ａは、表示部１７０に記憶媒体２００の初期化の可否の確認を促す表示をし、初期化の許可を受け付けたか否かを判定する。情報処理装置１００ａは、初期化の許可を受け付けた場合、ステップＳ７０にすすむ。情報処理装置１００ａは、初期化が不許可（否）である旨を受け付けた場合、ステップＳ７１にすすむ。
【０１７２】
［ステップＳ７０］情報処理装置１００ａは、記憶媒体２００を初期化する（フォーマットを実行する）。
【０１７３】
［ステップＳ７１］情報処理装置１００ａは、記憶媒体２００にウイルスチェックを実行する。
【０１７４】
［ステップＳ７２］情報処理装置１００ａは、クラウドサーバ３００にデータ記憶領域設定要求を送信し、応答（データ記憶領域設定応答）とアクセス情報を受信する。本ステップの処理は、ステップＳ１４，Ｓ１５と同様である。
【０１７５】
［ステップＳ７３］情報処理装置１００ａは、媒体認証管理情報６１０に、識別情報、アクセス情報、媒体認証情報を登録し、処理を終了する。
【０１７６】
このように、情報処理装置１００ａは、媒体認証情報または個人認証情報を用いて記憶媒体２００の接続の可否を判定し、ポートの接続スイッチ１２２の接続および切断を制御することで未認証の記憶媒体２００の接続を拒否し、セキュリティを高めることができる。また、情報処理装置１００ａは、媒体認証管理情報６１０に未登録の記憶媒体２００について、初期化またはウイルススキャンを行うことで、安全性を高めることができる。
【０１７７】
こうして、情報処理装置１００ａは、記憶媒体２００と接続するための接続部（たとえば、ＵＳＢポート１２１）を備え、接続部に対する接続を開閉するスイッチ（たとえば、ＵＳＢポート１２１との接続の開閉を制御する接続スイッチ１２２）を備えることができる。情報処理装置１００ａの制御部１５０は、タグ２１１から識別情報を読み取った場合、記憶媒体２００の接続を許可するか否かを判定し、判定した結果に基づき、スイッチ（接続スイッチ１２２）の開閉を制御することができる。これにより、情報処理装置１００ａは、記憶媒体２００に接続する際の安全性を高めることで、利便性を向上できる。
【０１７８】
このように、情報処理システム５００は、記憶媒体２００を利用する際の利便性の向上を図ることができる。
【０１７９】
［第４の実施形態］
次に、第４の実施形態として、情報処理システム５００に情報処理装置１００または情報処理装置１００ａを適用したシステムについて説明する。第４の実施形態の情報処理システム５００においては、情報処理装置１００または情報処理装置１００ａのいずれを適用してもよく、第４の実施形態の説明においては、情報処理装置１００，１００ａと記載する。
【０１８０】
図１３は、第４の実施形態の最大残容量表示イメージの一例を示す図である。図１３においては、媒体アクセス管理情報６００、または、媒体認証管理情報６１０に登録された記憶媒体２００，２００ａ，２００ｂ，２００ｃ，２００ｄ，２００ｅの６台を図示するが、これは一例に過ぎず、記憶媒体２００の個数は１以上であればよい。
【０１８１】
記憶媒体２００ａ〜２００ｅは、記憶媒体２００と同様の構成および機能であり、説明を省略する。なお、表示部２１０ｃは、記憶媒体２００ｃが備える表示部である。
【０１８２】
なお、いずれかの記憶媒体２００〜２００ｅを特定する場合を除き、単に記憶媒体２００と記載する。また、情報処理装置１００を用いる場合、記憶媒体２００が媒体アクセス管理情報６００に登録されているものとする。また、情報処理装置１００ａを用いる場合、記憶媒体２００が媒体認証管理情報６１０に登録されているものとする。
【０１８３】
最大残容量表示イメージ７００は、情報処理装置１００，１００ａが、タグ２１１を認識した記憶媒体２００のうち、最大の残容量である記憶媒体２００ｃの表示部２１０ｃに認識した記憶媒体２００の中で最大残容量である旨を表示させる態様を示したものである。
【０１８４】
情報処理装置１００，１００ａは、記憶媒体２００〜２００ｅの６台について認識し、表示部１７０にその旨の情報「付近に認識可能な記憶媒体が６台あります」を表示する。また、情報処理装置１００，１００ａは、最大残容量である記憶媒体２００ｃの表示部２１０ｃに対して最大残容量である旨の情報および記号を表示させる。
【０１８５】
なお、情報処理装置１００，１００ａは、最大残容量である記憶媒体２００ｃに対して、記号（たとえば、王冠マーク）のみを表示する指示を送信してもよいし、最大残容量の旨の情報（たとえば、「６台中、最大残容量（＊ＴＢ）」）のみを表示する指示を送信してもよい。
【０１８６】
利用者は、複数の記憶媒体２００について、どの記憶媒体２００にデータを記憶させるべきか迷う場合があるが、最大残容量である記憶媒体２００が備える表示部２１０が最大残容量である旨を表示することにより、目視で残量の多い記憶媒体２００を確認することができる。
【０１８７】
また、複数の記憶媒体２００について、それぞれの表示部２１０に、たとえば録画データの番組名などのメタデータが表示されている状態から、最大残容量である１台の記憶媒体２００の表示部２１０のみが、最大残容量である旨の情報および記号に表示を変更する。これにより、記憶媒体２００が情報処理装置１００に接続されていない状態でも、記憶媒体２００に記憶されている情報の概要、たとえば録画データの番組名などを表示させることにより、記憶媒体２００に記憶されている情報を容易に把握することができる。さらに、１台のみについて表示を変更することにより、利用者は、多数の記憶媒体２００の中から最大残容量の記憶媒体２００を把握しやすくなる。
【０１８８】
ここで、利用者が、複数台の記憶媒体２００について残容量が多い順に特定する手順について説明する。まず、情報処理装置１００，１００ａは、６台の記憶媒体２００から最大残容量である記憶媒体２００ｃを特定し、記憶媒体２００ｃの表示部２１０ｃに最大残容量である旨を表示させる。利用者は、６台中最大残容量である記憶媒体２００ｃの表示部２１０ｃを確認し、情報処理装置１００，１００ａのタグリーダライタ１２０から認識不可の位置に記憶媒体２００ｃを移動させる。
【０１８９】
このようにして、利用者は、複数の記憶媒体２００が存在する場合、いずれの記憶媒体２００の残容量が最大であるかを目視で把握することができる。これにより、利用者は、複数の記憶媒体２００を１台ずつ情報処理装置１００，１００ａに接続し、記憶媒体２００の内容をそれぞれ確認せずにすむため、利便性が向上する。
【０１９０】
次に、情報処理装置１００，１００ａは、残り５台の記憶媒体２００から最大残容量である記憶媒体２００を特定し、記憶媒体２００の表示部２１０に最大残容量である旨を表示させる。利用者は、５台中最大残容量である記憶媒体２００の表示部２１０を確認し、情報処理装置１００，１００ａのタグリーダライタ１２０から認識不可の位置に記憶媒体２００を移動させる。
【０１９１】
このように、利用者は、情報処理装置１００，１００ａから認識可能な範囲にある複数の記憶媒体２００から、最大残容量である記憶媒体２００を１台ごとに表示部２１０を目視して確認して認識不可の位置に移動させることで、残容量の多い順に記憶媒体２００を取得できる。
【０１９２】
利用者が目視可能な情報量、および、表示部２１０が表示可能な情報量には限りがあり、表示される情報が過多であると使い勝手が悪くなる恐れがある。また、複数台の記憶媒体２００について、メタデータ表示から残容量表示へ一括で表示変更された場合、利用者が表示内容の確認に手間取る恐れがある。そこで、情報処理装置１００，１００ａが、最大残容量である記憶媒体２００に対して、最大残容量である旨の表示指示のみを送信することで、利用者の利便性の向上を図ることができる。
【０１９３】
次に、第４の実施形態の最大残容量表示処理について図１４を用いて説明する。図１４は、第４の実施形態の最大残容量表示処理のフローチャートの一例を示す図である。
【０１９４】
最大残容量表示処理は、情報処理装置１００，１００ａが、記憶媒体２００を認識し、最大残容量の記憶媒体２００に対して、最大残容量である旨の表示指示を行う処理である。最大残容量表示処理は、情報処理装置１００，１００ａの制御部１５０（プロセッサ１１１）が実行する処理である。情報処理装置１００，１００ａは、最大残容量表示処理の実行指示を受け付け、最大残容量表示処理を実行する。
【０１９５】
［ステップＳ８１］情報処理装置１００，１００ａは、タグリーダライタ１２０を介してタグ２１１を検出したか否かを判定する。情報処理装置１００，１００ａは、タグ２１１を検出した場合はステップＳ８２にすすみ、検出しない場合はステップＳ８４にすすむ。
【０１９６】
［ステップＳ８２］情報処理装置１００，１００ａは、タグリーダライタ１２０を介してタグ２１１から識別情報を読み取る。
【０１９７】
［ステップＳ８３］情報処理装置１００，１００ａは、ステップＳ８２で読み取った識別情報について、媒体アクセス管理情報６００または媒体認証管理情報６１０に登録済みの識別情報が存在するか否かを判定する。情報処理装置１００，１００ａは、登録済みの識別情報が存在しない場合はステップＳ８４にすすむ。情報処理装置１００，１００ａは、登録済みの識別情報が存在する場合はステップＳ８５にすすむ。
【０１９８】
［ステップＳ８４］情報処理装置１００，１００ａは、識別可能な記憶媒体２００が存在しない旨を表示部１７０に表示し、処理を終了する。
【０１９９】
［ステップＳ８５］情報処理装置１００，１００ａは、記憶媒体２００が存在する旨を表示部１７０に表示する。なお、情報処理装置１００，１００ａは、ステップＳ８３で読み取った識別情報の個数を、認識可能な記憶媒体２００の台数として表示部１７０に表示できる。
【０２００】
［ステップＳ８６］情報処理装置１００，１００ａは、媒体アクセス管理情報６００または媒体認証管理情報６１０から、ステップＳ８２で読み取った識別情報に対応するアクセス情報を読み出す。
【０２０１】
［ステップＳ８７］情報処理装置１００，１００ａは、アクセス情報に基づきクラウドサーバ３００にアクセスし、識別情報ごとに残容量を取得する。言い換えると、情報処理装置１００，１００ａは、アクセス情報に基づきクラウドサーバ３００から、識別情報ごとにメタデータを取得し、メタデータに含まれる残容量を取得する。
【０２０２】
［ステップＳ８８］情報処理装置１００，１００ａは、最大残容量の識別情報に対応する記憶媒体２００の表示部２１０に、最大残容量である旨を表示指示する。なお、情報処理装置１００，１００ａは、最大残容量の記憶媒体２００が２台以上存在する場合、それぞれの記憶媒体２００の表示部２１０に表示指示を送信する。
【０２０３】
このように、情報処理装置１００，１００ａは、最大残容量の識別情報に対応する記憶媒体２００の表示部２１０に、最大残容量である旨を表示指示する。表示部２１０が提示する情報量が過多である場合、利用者にとって情報が把握しづらく使いにくくなってしまう。情報処理装置１００，１００ａは、表示部２１０が提示する情報を、残容量が最大である旨の情報に絞り込むことで、利用者に対する利便性を向上させることができる。
【０２０４】
また、情報処理装置１００，１００ａの制御部１５０は、複数の識別情報を読み取った場合、複数の識別情報に対応するアクセス情報を記憶部１６０から読み出し、アクセス情報それぞれに基づいて、複数の識別情報に対応するメタデータを取得し、メタデータに含まれる情報が予め定められた条件を満たす記憶媒体２００を特定し、予め定められた条件を満たすメタデータの情報が含まれている旨を、特定した記憶媒体の表示部２１０に表示させる。これにより、利用者に対する利便性を向上させることができる。予め定められた条件は、記憶媒体２００の記憶残容量が最大であることであって、制御部１５０は、メタデータそれぞれに含まれる記憶媒体２００の記憶残容量を比較し、記憶残容量が最大である識別情報を特定し、特定した識別情報を記憶したタグ２１１を備える記憶媒体２００の表示部２１０に、記憶残容量が最大である旨を表示させることができる。これにより、複数の記憶媒体２００が存在する場合、最大の残容量である記憶媒体２０を特定することが可能となり、利便性が向上する。
【０２０５】
このように、情報処理システム５００は、記憶媒体２００に記憶された情報の概要を記憶媒体２００の表示部２１０や携帯端末４００の表示部４７０に表示できる。これにより、利用者は、記憶媒体２００が情報処理装置１００，１００ａに接続されていない状態であっても、記憶された情報の概要を目視で確認できるため利便性が向上する。
【０２０６】
こうして、情報処理システム５００により、記憶媒体２００を利用する際の利便性の向上を図ることができる。
【０２０７】
なお、上記の処理機能は、コンピュータによって実現することができる。その場合、情報処理装置１０，１００，１００ａが有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記憶媒体に記録しておくことができる。コンピュータで読み取り可能な記憶媒体としては、磁気記憶装置、光ディスク、光磁気記憶媒体、半導体メモリ等がある。磁気記憶装置には、ハードディスク装置（ＨＤＤ）、フレキシブルディスク（ＦＤ）、磁気テープ等がある。光ディスクには、ＤＶＤ、ＤＶＤ−ＲＡＭ、ＣＤ−ＲＯＭ（Read Only Memory）／ＲＷ（ReWritable）等がある。光磁気記憶媒体には、ＭＯ等がある。
【０２０８】
プログラムを流通させる場合には、たとえば、そのプログラムが記録されたＤＶＤ、ＣＤ−ＲＯＭ等の可搬型記憶媒体が販売される。また、プログラムをサーバコンピュータの記憶装置に格納しておき、ネットワークを介して、サーバコンピュータから他のコンピュータにそのプログラムを転送することもできる。
【０２０９】
プログラムを実行するコンピュータは、たとえば、可搬型記憶媒体に記録されたプログラムもしくはサーバコンピュータから転送されたプログラムを、自己の記憶装置に格納する。コンピュータは、自己の記憶装置からプログラムを読み取り、プログラムに従った処理を実行する。なお、コンピュータは、可搬型記憶媒体から直接プログラムを読み取り、そのプログラムに従った処理を実行することもできる。また、コンピュータは、ネットワークを介して接続されたサーバコンピュータからプログラムが転送されるごとに、逐次、受取ったプログラムに従った処理を実行することもできる。
また、上記の処理機能の少なくとも一部を、ＤＳＰ、ＡＳＩＣ、ＰＬＤ等の電子回路で実現することもできる。
【符号の説明】
【０２１０】
１０  情報処理装置
１１  記憶部
１２  タグリーダライタ
１３  制御部
２０  記憶媒体
２１  表示部
２２  タグ
２３  識別情報
２４  メタデータ
２５  表示情報
３０  サーバ
３１  データ記憶領域
４０  携帯端末
５０  ネットワーク
６０  情報処理システム
【図１】
0006970361.tif 000002
【図２】
0006970361.tif 000003
【図３】
0006970361.tif 000004
【図４】
0006970361.tif 000005
【図５】
0006970361.tif 000006
【図６】
0006970361.tif 000007
【図７】
0006970361.tif 000008
【図８】
0006970361.tif 000009
【図９】
0006970361.tif 000010
【図１０】
0006970361.tif 000011
【図１１】
0006970361.tif 000012
【図１２】
0006970361.tif 000013
【図１３】
0006970361.tif 000014
【図１４】
0006970361.tif 000015